(57)【要約】  通信ネットワーク内の端末のプレゼンスを判定する方法が提供される。通信ネットワークを介した端末の可用性を表すイベントが判定される。前記イベントに関する情報を含むメッセージが発生され，前記メッセージは前記端末に関するプレゼンス情報を提供するために用いられる。
2009500978.tif 000002
【特許請求の範囲】
【請求項１】
通信ネットワークを介した端末の可用性を表すイベントを判定するステップと，該イベントに関する情報を含むメッセージを発生するステップとを有し，
前記メッセージを前記端末に関するプレゼンス情報を提供するために用いる方法。
【請求項２】
前記プレゼンス情報を配信するように構成したプレゼンスサーバに前記メッセージを送信するステップを更に有し，
前記メッセージはプレゼンス情報データ形式による形式とする請求項１に記載の方法。
【請求項３】
前記通信ネットワークが対応しているグループ通信サービスを利用するように前記端末を構成し，前記プレゼンス情報は前記グループ通信に関する前記端末の可用性を判定するために用いる請求項１に記載の方法。
【請求項４】
前記端末に対応する着信セッション禁止指示子の設定を検査するステップであって，前記着信セッション禁止指示子は，前記端末が着信グループ通信セッションを受け入れないように構成されていることを示すステップと，
前記着信セッション禁止指示子の前記設定を用いて前記プレゼンス情報を発生するステップと，
を更に有する請求項３に記載の方法。
【請求項５】
前記端末に対応する即時個別呼び出し禁止指示子の設定を検査するステップと，
前記即時個別呼び出し禁止指示子の前記設定を用いて前記プレゼンス情報を発生するステップと，
を更に有する請求項３に記載の方法。
【請求項６】
サービス加入によって前記イベントと関係付けられたイベント属性を受信するステップであって，前記イベント属性は，前記通信ネットワーク内の前記端末の登録に対応する登録状態，更新状態，期限切れ状態，又は拒否状態の１つを規定し，前記登録はセッション開始プロトコル（ＳＩＰ）を用いるステップと，
前記イベント属性をプレゼンス情報に対応させるステップと，
を更に有する請求項３に記載の方法。
【請求項７】
基準を用いて前記端末が可用かどうかを判定するステップであって，前記基準は前記端末の設定，又は無線ネットワークのサービス提供範囲内であること含むステップを更に有する請求項３に記載の方法。
【請求項８】
前記情報は，許可された同時通信セッションの数を含む請求項３に記載の方法。
【請求項９】
同時グループ通信セッション対応の設定を検査するステップと，
前記同時グループ通信セッション対応の前記設定を用いて前記プレゼンス情報を発生するステップと，
を更に有する請求項３に記載の方法。
【請求項１０】
前記グループ通信サービスは，セルラ通信上のプッシュ−ツ−トーク（ＰｏＣ）サービスを含む請求項３に記載の方法。
【請求項１１】
前記イベント用のイベント属性を直接発生するステップと，
前記イベント属性を前記プレゼンス情報として発行するステップと，
を更に有する請求項１に記載の方法。
【請求項１２】
通信ネットワークを介した端末の可用性を表すイベントを判定し，該イベントに関する情報を含むメッセージを発生するように構成したプロセッサを備え，
前記メッセージは前記端末に関するプレゼンス情報を提供するために用いる装置。
【請求項１３】
前記プロセッサに接続し，前記プレゼンス情報を配信するように構成したプレゼンスサーバに前記メッセージを送信するように構成した通信インタフェースを更に有し，
前記メッセージはプレゼンス情報データ形式による形式とする請求項１２に記載の装置。
【請求項１４】
前記端末は前記通信ネットワークが対応しているグループ通信サービスを利用するように構成し，前記プレゼンス情報は前記グループ通信に関する前記端末の可用性を判定するために用いる請求項１２に記載の装置。
【請求項１５】
前記端末に対応する着信セッション禁止指示子の設定を検査するように前記プロセッサを更に構成し，前記着信セッション禁止指示子は前記端末が着信グループ通信セッションを受け入れないように構成されていることを示し，前記プロセッサは更に，前記着信セッション禁止指示子の前記設定を用いて前記プレゼンス情報を発生する請求項１４に記載の装置。
【請求項１６】
前記端末に対応する即時個別呼び出し禁止指示子の設定を検査するように前記プロセッサを更に構成し，前記プロセッサは更に，前記即時個別呼び出し禁止指示子の前記設定を用いて前記プレゼンス情報を発生する請求項１４に記載の装置。
【請求項１７】
サービス利用によって前記イベントと関係付けられたイベント属性を受信するように前記プロセッサを更に構成し，前記イベント属性は，前記通信ネットワーク内の前記端末の登録に対応する登録状態，更新状態，期限切れ状態，又は拒否状態の１つを規定するものとし，前記登録はセッション開始プロトコル（ＳＩＰ）を用い，前記イベント属性をプレゼンス情報に対応させるように前記プロセッサを更に構成する請求項１４に記載の装置。
【請求項１８】
基準を用いて前記端末が可用かどうかを判定するように前記プロセッサを更に構成し，前記基準は前記端末の設定，又は無線ネットワークのサービス提供範囲内であることを含む請求項１４に記載の装置。
【請求項１９】
前記情報は，許可された同時通信セッションの数を含む請求項１４に記載の装置。
【請求項２０】
同時グループ通信セッション対応の設定を検査し，前記同時グループ通信セッション対応の前記設定を用いて前記プレゼンス情報を発生するように前記プロセッサを更に構成する請求項１４に記載の装置。
【請求項２１】
前記グループ通信サービスは，セルラ通信上のプッシュ−ツ−トーク（ＰｏＣ）サービスを含む請求項１４に記載の装置。
【請求項２２】
前記イベント用のイベント属性を直接発生するように前記プロセッサを更に構成し，前記イベント属性を前記プレゼンス情報として発行する請求項１２に記載の装置。
【請求項２３】
前記イベント用のイベント属性を直接発生する手段を更に備え，前記イベント属性を前記プレゼンス情報として発行する請求項１２に記載の装置。
【請求項２４】
請求項１に記載の装置と，前記プレゼンスサーバとを備えるシステム。
【請求項２５】
通信ネットワークを介して通信するために前記通信ネットワークに登録するステップを有する方法であって，
前記登録に関連するイベントは，前記通信ネットワークが対応する通信サービスの可用性を判定するために用いられ，アプリケーションサーバは前記イベントに関する情報を含むメッセージ発生させ，
前記メッセージは前記通信サービスに関連するプレゼンス情報を提供するために用いる方法。
【請求項２６】
前記プレゼンス情報を配信するように構成したプレゼンスサーバに前記メッセージを送信し，前記メッセージはプレゼンス情報データ形式による形式とする請求項２５に記載の方法。
【請求項２７】
通信サービスはグループ通信サービスを含み，前記通信ネットワークは無線ネットワークを含む請求項２５に記載の方法。
【請求項２８】
グループ通信セッションを受け入れないことを示すように着信セッション禁止指示子を設定するステップを更に有し，前記プレゼンス情報は前記着信セッション禁止指示子の前記設定を主体とする請求項２７に記載の方法。
【請求項２９】
即時個別呼び出しの禁止を示すように即時個別呼び出し禁止指示子を設定するステップを更に有し，前記プレゼンス情報は前記即時個別呼び出し禁止指示子の前記設定を主体とする請求項２７に記載の方法。
【請求項３０】
前記イベントは，前記登録の登録状態，更新状態，期限切れ状態，又は拒否状態の１つに対応するものとし，前記登録はセッション開始プロトコル（ＳＩＰ）を用いる請求項２７に記載の方法。
【請求項３１】
前記可用性は，前記無線ネットワーク内で運用するための設定情報，又は前記無線ネットワークのサービス提供範囲内であることを含む基準による請求項２７に記載の方法。
【請求項３２】
前記情報は，許可された同時通信セッションの数を含む請求項２７に記載の方法。
【請求項３３】
同時グループ通信セッション指示子を設定するセッションを更に有し，前記プレゼンス情報は前記同時グループ通信セッションの前記設定を主体とする請求項２７に記載の方法。
【請求項３４】
前記グループ通信サービスは，セルラ通信上のプッシュ−ツ−トーク（ＰｏＣ）サービスを含む請求項２７に記載の方法。
【請求項３５】
前記イベント用のイベント属性を直接発生し，前記イベント属性を前記プレゼンス情報として発行するように前記アプリケーションサーバを構成する請求項２５に記載の方法。
【請求項３６】
通信ネットワークを介して通信するために前記通信ネットワークに対する登録を開始するように構成したプロセッサを備える装置であって，前記登録と関連するイベントは前記通信ネットワークが対応している通信サービスの可用性を判定するために用いられ，アプリケーションサーバが前記イベントに関する情報を含むメッセージを発生し，前記メッセージを前記通信サービスに関するプレゼンス情報を提供するために用いる装置。
【請求項３７】
前記プレゼンス情報を配信するように構成したプレゼンスサーバに前記メッセージを送信し，前記メッセージはプレゼンス情報データ形式による形式とする請求項３６に記載の方法。
【請求項３８】
通信サービスはグループ通信サービスを含む請求項３６に記載の装置。
【請求項３９】
グループ通信セッションを受け入れないことを示すように着信セッション禁止指示子を設定するように更に構成し，前記プレゼンス情報は前記着信セッション禁止指示子の前記設定を主体とする請求項３８に記載の装置。
【請求項４０】
即時個別呼び出しの禁止を示すように即時個別呼び出し禁止指示子を設定するように更に前記プロセッサを構成し，前記プレゼンス情報は前記即時個別呼び出し禁止指示子の前記設定を主体とする請求項３８に記載の装置。
【請求項４１】
前記イベントは，前記登録の登録状態，更新状態，期限切れ状態，又は拒否状態の１つに対応するものとし，前記登録はセッション開始プロトコル（ＳＩＰ）を用いる請求項３８に記載の装置。
【請求項４２】
グループ通信サービス情報に対応する音声信号を出力するように構成したスピーカを更に備える請求項３８に記載の装置。
【請求項４３】
前記可用性は，前記無線ネットワーク内で運用するための設定情報，又は前記無線ネットワークのサービス提供範囲内であることを含む基準による請求項３８に記載の装置。
【請求項４４】
前記情報は，許可された同時通信セッションの数を含む請求項３８に記載の方法。
【請求項４５】
同時グループ通信セッション対応の設定を検査し，前記同時グループ通信セッション対応の前記設定を用いて前記プレゼンス情報を発生するように更に前記プロセッサを構成した請求項３８に記載の装置。
【請求項４６】
前記グループ通信サービスは，セルラ通信上のプッシュ−ツ−トーク（ＰｏＣ）サービスを含む請求項３８に記載の装置。
【請求項４７】
前記イベント用のイベント属性を直接発生し，前記イベント属性を前記プレゼンス情報として発行するように前記アプリケーションサーバを構成した請求項３６に記載の装置。
【請求項４８】
前記イベント用のイベント属性を直接発生する手段を更に備え，前記イベント属性を前記プレゼンス情報として発行する請求項３６に記載の装置。
【発明の詳細な説明】
【技術分野】
【０００１】
本発明は通信に関し，より特定すれば無線通信システムにおけるプレゼンス情報の提供に関する。
【背景技術】
【０００２】
セルラシステム（例えば，（符号分割多元接続（ＣＤＭＡ）ネットワークのような）スペクトラム拡散システム，又は時間分割多元接続（ＴＤＭＡ）ネットワーク）のような無線通信システムは，ユーザに移動できる利便性並びに豊富なサービス及び特徴を提供する。この利便性は，業務用及び私用の通信において受け入れられる方法として益々多くの消費者に採用されるようになった。より広く採用されるように，製造事業者からサービス提供事業者に至る通信業界は，上記の種々のサービス及び特徴に対応する通信プロトコル標準を開発するために多大な出費及び努力を行うことに合意した。多大な注目を集めたサービス分野は，セルラ通信上のプッシュ−ツ−トーク（ＰｏＣ）である。従来の方法は，ネットワークにおけるユーザの可用性を適切に示すものではなかった。
【０００３】
ＰｏＣサービスは，ユーザが１又は複数のユーザと即時に通信できるようにする１つの双方向通信形態である。ＰｏＣサービスは，「ウォーキートーキー」アプリケーションに類似しており，ボタンを押下することによって個々のユーザ又は同報グループとの通話セッションが開始されるものである。受信側の参加者は，自分が何の操作をしなくても話者の声を聞くことができる（自動応答モード）か，又は話者の声を聞く前に通知され，呼を受諾する必要がある（手動応答モード）。この種の通信は「即時」を特徴とするものであるから，ユーザのプレゼンスを判定することが必須である。
【０００４】
したがって，無線通信システムにおける移動機すなわちユーザの可用性すなわちプレゼンス情報をより効果的に判定する方法が必要である。
【発明の開示】
【課題を解決するための手段】
【０００５】
本発明によって種々の要望が処理され，通信ネットワークにおけるユーザのプレゼンスをより効果的に判定する方法が提示される。
【０００６】
本発明の実施例の一態様によれば，通信ネットワークを介した端末の可用性を表すイベントを判定するステップを有する方法が提供される。この方法は更に，上記イベントに関する情報を含むメッセージを発生するステップを有し，上記メッセージは上記端末に関するプレゼンス情報を提供するために用いられる。
【０００７】
本発明の実施例の別の態様によれば，通信ネットワークを介した端末の可用性を表すイベントを判定し，該イベントに関する情報を含むメッセージを発生するように構成したプロセッサを備えた装置が提供される。上記メッセージは，上記端末に関するプレゼンス情報を提供するために用いられる。
【０００８】
本発明の実施例の別の態様によれば，通信ネットワークを介して通信するために上記通信ネットワークに登録するステップを有する方法が提供される。上記登録に関連するイベントは，上記通信ネットワークが対応する通信サービスの可用性を判定するために用いられる。アプリケーションサーバは，上記イベントに関する情報を含むメッセージ発生させる。上記メッセージは，上記通信サービスに関連するプレゼンス情報を提供するために用いられる。
【０００９】
本発明の実施例の更に別の態様によれば，通信ネットワークを介して通信するために上記通信ネットワークに対する登録を開始するように構成したプロセッサを備える装置が提供される。上記登録と関連するイベントは，上記通信ネットワークが対応する通信サービスの可用性を判定するために用いられる。アプリケーションサーバは，上記イベントに関する情報を含むメッセージを発生する。上記メッセージは，上記通信サービスに関するプレゼンス情報を提供するために用いられる。
【００１０】
本発明の更にほかの態様と，特徴と，利点とは，本発明を実施するための最良の形態を含み，いくつかの特定の実施例及び実現例を単に例示することによって，以降の詳細な説明から直ちに明らかになる。本発明はまたほかの異なる実施例も可能であり，そのいくつかの詳細は，本発明の精神及び適用範囲から逸脱することなく，種々の明白な観点で修正することができる。したがって本願の図面及び明細書は，例示であって制約ではないと認識されたい。
【００１１】
添付の図面に，本発明を制約ではなく例示として図示する。類似の参照符号は，類似の要素を指す。
【発明を実施するための最良の形態】
【００１２】
無線通信システムにおいてプレゼンス情報を提供する装置と，方法と，ソフトウェアとを説明する。以降，説明のために，本発明を完全に理解できるように多くの特定の詳細が述べられる。しかし本発明は，これら特定の詳細を用いずに，又は均等な構成によって実施可能であることは，当業者には明白である。別の例として，不必要に本発明を不明りょうにすることを避けるため，周知の構造及びデバイスは，ブロック図で示される。
【００１３】
本発明の種々の実施例をスペクトラム拡散セルラネットワークを用いるＰｏＣサービスに関して説明するが，本発明はほかのグループ通信サービス及び無線ネットワークにも適用できることを理解し，考慮されたい。更に本発明をＩＭＳ（ＩＰマルチメディアサブシステム）及びＭＭＤ（マルチメディアドメイン）ネットワークに関して説明するが，当業者であれば，本発明はほかの通信プロトコルを用いるどの種別のＩＰによるコアネットワークにも適用できることを理解するであろう。また本発明の種々の実施例を実践するために，セッション確立プロトコル，インターネット技術委員会（ＩＥＴＦ）セッション開始プロトコル（ＳＩＰ）又は国際電気通信連合（ＩＴＵ）Ｈ．３２３プロトコルのうちどの種別を用いてもよいことを考慮されたい。
【００１４】
更に種々の例示実施例によれば，３ＧＰＰ（第３世代パートナシッププロジェクト）のＩＭＳ及び３ＧＰＰ２（第３世代パートナシッププロジェクト２）のＭＭＤネットワークを介して，プレゼンス情報属性を配信する方法が説明される。ＩＭＳは，ＰｏＣ，ＶｏＩＰ（ＩＰ電話）又はパケット音声呼，インスタントメッセージ（ＩＭ），プレゼンス，グループ通信，等を含むＩＰマルチメディアサービスを移動体デバイスに提供する。ＩＭＳは例えば信号通知プロトコルとしてＳＩＰを利用するが，ＳＩＰについてはＩＥＴＦのＲＦＣ３２６１により詳細に記載されている（ここにその全体を参照する）。
【００１５】
図１は，本発明の実施例による拡張プレゼンス情報属性に対応する無線通信システムの図である。無線接続ネットワーク１０１は，接続端末１０３，１０５に通信サービスを提供する。例示実施例においては，無線接続ネットワーク１０１は例えばＰｏＣサービスなどのグループ通信サービスに対応する。したがって接続端末１０３，１０５は，ＰｏＣクライアント（すなわちＰｏＣ端末）として構成される。例示として，遠隔ＰｏＣネットワーク１０７がＰｏＣ端末１０５にサービスを提供している。
【００１６】
ＰｏＣサービスの重要な態様は，ＰｏＣ端末１０３，１０５のプレゼンス（したがって可用性）を判定するステップである。プレゼンス情報を受付し，記憶し，配信するエンティティであるプレゼンスサーバ１１１は，プレゼンス可用性に対応している。一実施例によれば，プレゼンス情報はＰｏＣ端末１０３，１０５（すなわち監視者）に発行するために，アプリケーションサーバ１０９がプレゼンスサーバ１１１に供給してもよい。
【００１７】
ＰｏＣ端末１０３，１０５はそれぞれ，スピーカホン及び／又はヘッドセットのようなハードウェア能力と，セッション開始を即時に受け付け，メディアを受信し次第，被呼ユーザの介入なしに再生できるようにユーザがＰｏＣ端末１０３，１０５を設定できる機能を提供するソフトウェアと，を備える。この動作モードは，自動応答モード又は自動モードとして知られる。あるいは，ＰｏＣ端末１０３，１０５が最初にユーザを呼び出し，メディアを受け付ける前にユーザが手動でセッション招待を受け付ける必要があるように，ユーザがＰｏＣ端末を設定してもよい。この動作モードは手動応答モードとして知られる。ＰｏＣ端末１０３，１０５は，これらの動作モードの双方に対応してもよいし，１つだけに対応してもよい。例えばユーザは，現在の状況（例えばユーザが今忙しいか，公共の場所に移動しており，スピーカホンの使用が適切ではないとき）及び好みによって，ＰｏＣ端末１０３，１０５の応答モード（ＡＭ）設定を直ちに変更できる。
【００１８】
またＰｏＣ端末１０３，１０５はそれぞれ，ＳＩＰユーザエージェント（ＵＡ）として構成してもよい。ＳＩＰ ＵＡとしてＰｏＣ端末１０３，１０５は，同時に１又は複数のＳＩＰ ＵＡにセッションを設定することができる。この通信は，ユーザが「通話」ボタンを押下して開始することができる。ＳＩＰ ＰｏＣ端末１０３，１０５は，プッシュ−ツ−トークのほかに，種々のＳＩＰを用いる通信サービス（例えばＶｏＩＰ，プレゼンスサービス，メッセージサービス，など）に対応することができる。ユーザは時折，１又は複数の別のＳＩＰを用いるサービスにＳＩＰを登録したままプッシュ−ツ−トークセッションを受け付けないようにしたいかもしれない。ＰｏＣ端末が着信プッシュ−ツ−トークセッションをどれも受け付けないように設定されているとき，この設定は着信セッション禁止（ＩＳＢ）と呼ばれる。
【００１９】
更にユーザは，ＩＳＢを設定しているＰｏＣ端末を持つユーザと通信したいかもしれない。このシナリオにおいては，ユーザはこの別のユーザに即時個別呼び出し（Instant Personal Alert）を送信して，ＰｏＣセッションが所望されていることを示す。この即時個別呼び出しは，あて先ＰｏＣ端末がＩＳＢを設定していても受信される。ユーザが即時個別呼び出しを受け付けないようにしたいときは，ユーザはＰｏＣ端末がどの着信即時個別呼び出しも受け付けないように設定できる。これは即時個別呼び出し禁止（ＩＡＢ）として知られる。
【００２０】
ユーザに満足の行く通信体験を提供するために，初期セッション確立遅延，すなわちユーザがボタンを押下した時刻から，ユーザが送話指示を受信する時刻まで，を最小化する必要がある。この遅延に寄与する要因は，ターゲットユーザのプレゼンスを判定するステップである。
【００２１】
オープンモバイルアライアンス（ＯＭＡ）は，ＰｏＣサービスに対応するいくつかの要求条件を規定した。特に「ＯＭＡプレゼンスＳＩＭＰＬＥイネーブラ」は，"Application-specific Availability"と呼ばれるプレゼンス情報要素を規定している。この要素は，着信通信要求を指定されたサービス及びデバイス（指定されているとき）を用いて受信できるかどうかを示す。例えばプレゼンティティ（例えばＰｏＣ端末１０３）がＰｏＣサービスに対応しており，１又は複数の条件（例えばネットワーク１０１のサービス範囲内であって，（ハードウェア構成及び／又はソフトウェア構成の点で）適切な電話機である，など）を満たすとき，そのユーザはそのＰｏＣサービスに関して「可用（available）」である。しかしこれらの条件のどれもが真でないときは，ユーザは「不可用（unavailable）」である。
【００２２】
また「ＯＭＡプレゼンスＳＩＭＰＬＥイネーブラ」は，"Application-specific Availability"が次に示す方法でプレゼンス情報データ形式（ＰＩＤＦ）に対応させられることを規定している。
<tuple> → <status> → <basic> →open/closed及び<service-description>
しかしこのような方法は，過度に制約的であることを理解されたい。すなわち，可用性に２値の<basic>値，「open」及び「closed」を用いているため，可用性の将来の値に何が期待されるかに関して，監視者の知識は限定されている。
【００２３】
ＯＭＡ ＰｏＣサービスの場合，ユーザがネットワークに登録されていないとき，ユーザの可用性は「closed］に設定される。しかしユーザがＩＳＢフラグ（すなわち指示子）をセットしたときも，「closed」に設定される。これら２つの場合は別々のユーザ振る舞いを表しているが，ＯＭＡモデルではこれらを区別する方法がない。ユーザが登録されていないときは，監視者はそのＰｏＣユーザがすぐにはavailableにならないかもしれないことを予期できる（例えば，そのユーザは休暇中かもしれないし，デバイスの電源が入っていないかもしれない）。しかしＩＳＢフラグがセットされているときは，監視者はそのＰｏＣユーザの不可用性は一時的であることを予期できる。換言すれば，ユーザは比較的すぐにavailableになる（例えば，そのユーザは重要な会議中であってだれにも邪魔をされず，又は中断されたくないのでＩＳＢをセットしたのかもしれない）。
【００２４】
本発明の一実施例による本方法は，基本の２値の可用性種別を，可用性情報の更なる詳細を示す，登録状態と，禁止状態と，セッション参加と，の情報に拡張する。例示実施例においては，この情報はＳＩＰ登録状態イベントパッケージから得ることができる。前に説明したとおり，ＰｏＣ端末１０３，１０５はＳＩＰを用いてそれらの間の通信セッションを設定及び終了することができる。ＳＩＰの重要な機能は登録操作であって，ＳＩＰ統一資源識別子（ＵＲＩ）（すなわちレコードアドレス（address-of-record））と，１又は複数の通信先ＵＲＩとを結合する。SIP REGISTERメソッドは，ＵＡが登録を操作することを可能にする。例えば通信先を追加又は削除することができ，また非承認接続を防ぐポリシを実施することができる。ＳＩＰプロトコルによれば，ある期間後に登録は期限切れとなり，したがって効力を保つには更新が必要である。
【００２５】
図２は，図１のシステムにおける端末の登録手続を示す図である。登録状態イベントパッケージはＩＥＴＦ   ＲＦＣ３６８０，"A Session Initiation Protocol (SIP) Event Package for Registration"に詳細に記載されており，ここにその全体を参照する。ＲＦＣ３６８０は次のイベント状態を規定している。すなわち，初期状態２０１と，動作状態２０３と，終了状態２０５と，である。しかし動作状態及び終了状態だけが，プレゼンス可用性を判定するために役立つ。登録手続きの有限状態機械２００が，プレゼンス状態を提供するステップに属するイベントと共に示されている。この有限状態機械２００は通信先ごとの状態機械を表しており，それによってこの機械は通信先が登録されたとき作成され，通信先が除去されたとき削除される。レコードアドレスに通信先が登録されていないときは，状態機械は初期状態にある。通信先がレコードアドレスに登録されると，状態機械２００は初期状態２０１から動作状態２０３に遷移する。すなわち新規通信先が追加されると，それのための有限状態機械が作成され，動作状態２０３に遷移する。状態機械２００は，レコードアドレスに少なくとも１つの通信先が結合されているときは，動作状態２０３に留まる。最後の通信先が期限切れになったとき，又は除去されたとき，登録は終了状態２０５に遷移する。
【００２６】
本発明の実施例によれば，アプリケーションサーバ１０９（図１）は登録イベントパッケージの利用者であってよい。レコードアドレス又は通信先ごとの状態機械いずれかにイベントが発生すると利用者に通知が行われる。注目するイベントは，登録，更新，期限切れ，未登録，拒否である。ある登録状態，例えば動作状態２０３及び終了状態２０５は，プレゼンス状態に対応させることができる。
【００２７】
更にＯＭＡ ＰｏＣサービスに関して，次の状態情報を表すために追加可用性情報が規定されている。すなわちＩＳＢと，ＩＡＢと，許可された最大同時ＰｏＣセッション数と，が利用可能である。
【００２８】
図３Ａ及び３Ｂは，本発明の実施例による拡張プレゼンス情報を提供する処理のフロー図である。本発明の一実施例によれば，アプリケーションサーバ１０９はＩＭＳアーキテクチャを踏襲できる。プレゼンス情報を提供するステップにおける提供アプリケーションサーバ１０９（例えばＰｏＣサーバ）と，プレゼンスサーバ１１１との対話は次のように説明される。
【００２９】
ステップ３０１においてアプリケーションサーバ１０９は，イベント（又は状態）変化の更新を受信するために，登録状態イベントパッケージを利用することができる。登録状態は一種のプレゼンス情報として見ることができるが，プレゼンスサーバ１１１はすべての発行物が厳密な規定の形式，例えばＰＩＤＦで提供されることを期待しているので，登録状態は直接プレゼンスのために用いることができないことを認識されたい。アプリケーションサーバがどのように登録状態イベントパッケージを利用するかについては，3GPP TS 34.229及び3GPP2 X.S0013-004-Aに詳細に記載されており，ここにその全体を参照する。
【００３０】
本発明の実施例によれば，アプリケーションサーバ１０９はプレゼンス情報への入力として登録状態（例えばＲＦＣ３６８０に規定されるとおり）を利用する。換言すれば登録状態がプレゼンス可用性に対応付けられ（ステップ３０３），それによって可用性の追加値を与える。次にプレゼンス情報が規定の形式によって発行される（ステップ３０５）。
【００３１】
あるいはアプリケーションサーバ１０９自身が状態情報の知識を有してもよい（図３Ｂに示したシナリオ）。例えばアプリケーションサーバ１０９がＰｏＣサーバであると仮定すると，ＩＳＢ指示子又はＩＡＢ指示子は，ＰｏＣ設定イベントパッケージを用いてＰｏＣサーバ１０９上で直接設定することができる。このシナリオによれば，禁止状態，すなわちＩＳＢ指示子又はＩＡＢ指示子の状態は，移動体端末１０３が設定したとおり判定される（ステップ３１１）。別の例においては，アプリケーションサーバ１０９がＰｏＣサーバであると仮定して，ＰｏＣユーザが許可された最大同時ＰｏＣセッション数に達したかどうかをＰｏＣサーバが判定する（ステップ３１１）。
【００３２】
アプリケーションサーバ１０９が状態情報を知っているときは，アプリケーションサーバ１０９は属性値を適切なプレゼンス形式に直接対応付け，その属性値をプレゼンス情報として（可用性の拡張として）発行する（ステップ３１３）。
【００３３】
本発明の実施例によれば，プレゼンスサーバ１１１はＰＩＤＦを用いてプレゼンス情報を収集する。ＰＩＤＦは，ＲＦＣ３８６３，"Presence Information Data Format (PIDF)"に規定されている（ここにその全体を参照する）。このように例示実施例においてＰＩＤＦは，登録状態と，禁止状態と，セッション参加と，の情報によって拡張することができる。この情報用の拡張可能マーク付け言語（ＸＭＬ）スキーマは，ＰＩＤＦの拡張として規定できる。例示実施例においては，３つの拡張値，すなわち<registration-state>と，<barring-state>と，<session-participation>と，を指定することができる。
【００３４】
表１に例示ＸＭＬスキーマを示す。
【表１】
2009500978.tif 000003
【００３５】
一例として，ＰｏＣユーザが未登録のためunavailableになったとする。<registration-state>terminated</registration-state>が，登録状態パッケージから対応付けられる。<barring-state>terminated</barring-state>が，ＰｏＣ設定イベントパッケージから対応付けられる。表２に関連ＸＭＬを示す。
【表２】
2009500978.tif 000004
【００３６】
別の例として，ＰｏＣセッションサービスがＩＳＢフラグの設定によってunavailableになったとする。<registration-state>active</registration-state>が，登録状態パッケージから対応付けられる。<barring-state>active</barring-state>が，ＰｏＣ設定イベントパッケージから対応付けられる。表３に関連ＸＭＬを示す。
【表３】
2009500978.tif 000005
【００３７】
別の例として，許可された最大同時ＰｏＣセッション数に達したためＰｏＣセッションサービスがunavailableになったとする。ＰｏＣサーバ１０９は，<session-participation>要素を発行してこのことを示す。表４に関連ＸＭＬを示す。
【表４】
2009500978.tif 000006
【００３８】
更に別の例として，ＩＡＢフラグが「ｏｎ」に設定されているためＰｏＣ呼び出しサービスがunavailableであるとする。<registration-state>active</registration-state>が，登録状態パッケージから対応付けられる。<barring-state>active</barring-state>が，ＰｏＣ設定イベントパッケージから対応付けられる。表５に関連ＸＭＬを示す。
【表５】
2009500978.tif 000007
【００３９】
図４は，本発明の一実施例による，プレゼンスサービスに対応できる例示ＰｏＣアーキテクチャの図である。ＰｏＣサービスに対応するため，ＰｏＣクライアント４０１とＰｏＣサーバ４０３とがプレゼンスモジュール４０５によって対話し，ＰｏＣクライアントに関するプレゼンス情報が既知であることを確かめる。（ＰｏＣサーバとして利用できる）プレゼンスモジュール４０５は，ＰｏＣクライアントに関するプレゼンス情報を受け入れ，記憶し，配信するエンティティである。プレゼンス情報は，ＰｏＣクライアント４０１に代わってＰｏＣサーバ４０３が発行してもよい。この情報は，監視者，すなわちＰｏＣクライアント４０１に代わってＰｏＣサーバ４０３が利用することができる。本発明の種々の実施例によれば，状態情報（例えば登録状態，禁止状態，セッション参加）は，ＰｏＣクライアント４０１のプレゼンス可用性の判定において考慮される。図示のとおり，例えばＩＳＢフラグ４０７ａ又はＩＡＢフラグ４０７ｂを，追加可用性情報を与えるために利用してもよい。
【００４０】
プレゼンスモジュール４０５はＸＭＬ文書管理（ＸＤＭ）モジュール４０９と対話し，ＸＤＭモジュールはネットワーク内に記憶されたＸＭＬ文書を管理する（例えばＰｏＣ特定文書，ＵＲＩ通信先リスト，等）。管理機能の中でもＸＤＭモジュール４０９は，これらのＸＭＬ文書に成された変更を利用することができ，文書変更が発生したとき通知が受信される。ＸＤＭモジュール４０９は，固定端末又はユーザ装置内に実装することができる。
【００４１】
ＰｏＣサービスに対応するためのＰｏＣクライアント４０１及びＰｏＣサーバ４０３の能力を次に詳細に説明する。ＰｏＣクライアント４０１はＰｏＣサービスを利用することができ，図１に示すように接続端末（例えば移動機）内に常駐することができる。ＰｏＣクライアント４０１は，ＰｏＣセッションの開始及び解放を行い，例えばＳＩＰ／ＩＰコア４１１に登録を行うように構成される。ＰｏＣクライアント４０１はまた，ＳＩＰ／ＩＰコア４１１に対するユーザ認証を行うこともできる。更にＰｏＣクライアント４０１は，関連手続及びプロトコル，例えば通話バースト制御手続と，通話バースト制御プロトコル調停と，応答モード指示（手動応答，自動応答），着信セッション禁止及び着信即時個別呼び出し禁止を設定する能力と，同時ＰｏＣセッション対応と，ＰｏＣサーバ４０３が開始したときはユーザデータ（ｕｓｅｒ  ｐｌａｎｅ）適応手続と，を用いて通話バースト（すなわちＰｏＣ情報）を発生し交換する。
【００４２】
ＰｏＣサーバ４０３はＰｏＣサービスを可能にする２つの主要な機能，すなわち制御ＰｏＣ機能及び参加ＰｏＣ機能，を提供する。ＰｏＣサーバ４０３の特定の役割（制御又は参加）はＰｏＣセッション設定中に判定され，そのセッションの期間中設定されたままで留まる。ＰｏＣセッションには，制御ＰｏＣ機能を実行する１つのＰｏＣサーバ４０３がある。しかしＰｏＣセッションには，参加ＰｏＣ機能を実行する１又は複数のＰｏＣサーバがあってもよい。
【００４３】
制御機能を実行する役割の一部として，ＰｏＣサーバ４０３は１つのＰｏＣセッションにおいてＮ個のＳＩＰセッションと，メディア及び通話バースト制御通信経路とを管理することができる。ここでＮはＰｏＣセッションの参加者数である。この役割においてＰｏＣサーバ４０３は，メディアと，通話バースト制御メッセージのようなメディア関連信号通知とを，ＰｏＣクライアント４０１のために参加ＰｏＣ機能を実行しているＰｏＣサーバを介してＰｏＣクライアントへ配信することができる。この例においてＰｏＣサーバ４０３は，制御機能を実行しており，別のＰｏＣサーバ（図示していない）が参加機能を行うものと仮定している。参加ＰｏＣ機能を実行しているＰｏＣサーバは，（制御ＰｏＣ機能を実行している）ＰｏＣサーバ４０３が各ＰｏＣクライアント４０１にメディア及びメディア関連信号通知用の直接通信経路を持つことを許可する。ＰｏＣサーバ４０３は，ＰｏＣセッション信号通知のためにＰｏＣクライアント４０１と直接通信経路を持たないことに注意されたい。しかしＰｏＣサーバは，ＰｏＣクライアント４０１のために参加機能を実行しているときはＰｏＣクライアント４０１と通信する。
【００４４】
更に上記のとおり，ＰｏＣサーバ４０３は監視者の役割を想定することができる。この能力によってＰｏＣサーバ４０３は，ＰｏＣセッションポリシ執行（例えば「到達できない」状態のＰｏＣクライアントにＰｏＣプレゼンス設定を執行するなど）のためのプレゼンス属性の調停を行うために，プレゼンスサービス（例えばプレゼンスモジュール４０５）にプレゼンス情報を要求することができる。ＰｏＣサーバ４０３は，ＰｏＣ関連の，又は一般のプレゼンス情報を用いてＰｏＣセッション処理のためのポリシ執行に対応できることに注意されたい。
【００４５】
図示のとおり発見及び登録モジュール４１３は，ＳＩＰ／ＩＰコア４１１にＳＩＰ登録を行い，登録要求によってＰｏＣサービスに対応することを示す。ＰｏＣユーザの登録に成功すると，通信を開始することができる。更に認証及び承認モジュール４１５が，ＰｏＣサービスを利用するためにＰｏＣクライアント４０１の認証を行う。
【００４６】
例示のために，ＰｏＣ特定プレゼンス情報要素及びプレゼンス手続を，ＯＭＡ ＰｏＣサービスに関して説明する。一組のプレゼンス要素がＰｏＣユーザのプレゼンス状態を表すために規定される。表６は，各プレゼンス情報に対応するプレゼンス情報要素の値を示す。
【表６】
2009500978.tif 000008
【００４７】
「ＰｏＣセッションサービスの可用性」は，表７に示すように"PoC-session" サービスに属する"Application-specific Availability" プレゼンス情報要素に対応付けることができる。
【表７】
2009500978.tif 000009
【００４８】
"Availability for PoC Session Service"プレゼンス情報要素は，次のとおり対応付けられる。すなわち，値"open"を有する<basic>副要素を含む必須の<status>要素と，値"active"を有するオプションの<registration-state>要素と，値"terminated"を有するオプションの<barring-state>要素と，である。
【００４９】
上記の対応付けは，プレゼンティティが着信ＰｏＣセッションに関してavailableであるとき行われる。これは，ＰｏＣユーザが登録されており，ＩＳＢが活性になっておらず，かつ最大同時ＰｏＣセッション数に達していないとき生じる。
【００５０】
更に"Availability for PoC Session Service"プレゼンス情報要素は，値"closed"を有する<basic>副要素を含む必須の<status>要素及び値"terminated"を有するオプションの<barring-state>要素，又は値"active"を有するオプションの<barring-state>要素，又は値"active"を有するオプションの<registration-state>要素及び値"terminated"を有するオプションの<barring-state>要素に対応付けられる。このシナリオにおいては，プレゼンティティは着信ＰｏＣセッションに関してunavailableである。これはＰｏＣユーザが登録されていないか，ＩＳＢが活性であるか，最大同時ＰｏＣセッション数に達したとき生じる。
【００５１】
"Availability for PoC Alert Service"は，表８のとおり"PoC-alert"サービスに属する"Application-specific Availability"プレゼンス情報要素に対応付けてもよい。
【表８】
2009500978.tif 000010
【００５２】
プレゼンティティが着信ＰｏＣ即時個別呼び出しに関してavailableであるときは，"Availability for PoC Alert Service"プレゼンス情報要素は次のうち１つに対応付けてもよい。すなわち，値"open"を有する<basic>副要素を含む必須の<status>要素及び値"active"を有するオプションの<registration-state>要素，又は値"terminated"を有するオプションの<barring-state>要素である。
【００５３】
上記の条件は，ＰｏＣユーザが登録されており，かつＩＡＢが活性でないとき生じる。
【００５４】
しかしプレゼンティティが着信ＰｏＣ即時個別呼び出しに関してunavailableであるときは，"Availability for PoC Alert Service"プレゼンス情報要素は，値"closed"を有する<basic>副要素を含む必須の<status>要素及び値"terminated"を有するオプションの<registration-state>要素，又は値"active"を有するオプションの<barring-state>要素，に対応させてもよい。このシナリオは，ＰｏＣユーザが登録されていないか，ＩＡＢが活性であるとき生じる。
【００５５】
"PoC Session Participation"は，表９のとおり"PoC Session"に属する"Session Participation"プレゼンス情報要素に対応付けてもよい。
【表９】
2009500978.tif 000011
【００５６】
"PoC Session Participation"プレゼンス情報要素は，プレゼンティティが少なくとも１つのＰｏＣセッションに参加しているが，許可された最大同時ＰｏＣセッション数に達していないとき，値"open"を有する<basic>副要素を含む<session-participation>要素に対応付けてもよい。"PoC Session Participation"プレゼンス情報要素は，プレゼンティティが許可された最大同時ＰｏＣセッション数に達したとき，値"open"を有する<basic>副要素及び<max>副要素を含む<session-participation>要素に対応付けてもよい。
【００５７】
あるいは，"PoC Session Participation"プレゼンス情報要素は，プレゼンティティがどのＰｏＣセッションにも参加してないとき，値"closed"を有する<basic>副要素を含む<session-participation>要素に対応付けてもよい。
【００５８】
ＰｏＣサーバ手続に関して，例えばＰｏＣユーザの帰属ＰｏＣネットワークにおける参加ＰｏＣ機能を実行しているＰｏＣサーバ４０３が，ＰｏＣクライアント４０１の代わりにプレゼンス情報を発行するステップに対応しているとき，ＰｏＣサーバ４０３はＰｏＣクライアント４０１に送信された"PRES-SRV-CAP"供給パラメータによって示されるプレゼンス情報を発行してもよい。
【００５９】
表１０は，ＰｏＣサーバ４０３が発行できる例示プレゼンス情報を規定するものである。
【表１０−１】
2009500978.tif 000012
【表１０−２】
2009500978.tif 000013
【表１０−３】
2009500978.tif 000014
【表１０−４】
2009500978.tif 000015
【００６０】
上記のとおりＰｏＣサーバ４０３は，プレゼンス情報源として動作し，ＰｏＣクライアント４０１の代わりにプレゼンス情報のある集合を発行することができる。例として次の手続を説明する。すなわち，ＰｏＣ登録及び削除，並びにＩＳＢ，ＩＡＢ及びＰｏＣセッション状態である。これらの手続は，ＰｏＣサーバ４０３がプレゼンス情報源として動作し，表１０に規定したプレゼンス情報要素の発行に対応するとき，適用できる。
【００６１】
ＳＩＰ／ＩＰコア４１１が３ＧＰＰ及び３ＧＰＰ２のＩＭＳに対応する場合，ＰｏＣサーバ４０３はプレゼンス情報源として動作するとき，3GPP TS 24.229及び3GPP2 X.S0013-004-A（ここにその全体を参照する）に規定された「発呼ユーザエージェントとして動作するＡＳ（アプリケーションサーバ）」手続を用いることができる。
【００６２】
ＰｏＣユーザから登録要求を受け付けたとき，ＰｏＣサーバ４０３はプレゼンス情報源として動作することができる。この場合ＰｏＣサーバ４０３は，プレゼンス情報の発行を行い，次の要素，"Availability for PoC Session Service"プレゼンス情報要素及び"Availability for PoC Alert Service"プレゼンス情報要素，の値を（表１０に規定したとおり）設定することができる。更にＰｏＣサーバ４０３は，プレゼンス情報の<entity>要素を，ＰｏＣサービスに登録されたＰｏＣユーザの認証された識別情報値（例えばREGISTER要求のP-Asserted-Identityヘッダフィールドの値）に設定することができる。更にＰｏＣサーバ４０３は，"PoC Session participation"プレゼンス情報要素を（表１０に規定したとおり）"closed"に設定することができる。同時にほかのプレゼンス情報要素も適切な値で発行されるかもしれないことに注意されたい。
【００６３】
ＰｏＣユーザから削除要求を受け付けたとき，ＰｏＣサーバ４０３はプレゼンス情報の発行を行い，"Availability for PoC Session Service"プレゼンス情報要素及び"Availability for PoC Alert Service"プレゼンス情報要素双方の値をunavailableに設定することができる。またＰｏＣサーバ４０３は，プレゼンス情報の<entity>要素を，ＰｏＣサービスから削除されたＰｏＣユーザの認証された識別情報値（例えばREGISTER要求のP-Asserted-Identityヘッダフィールドの値）に設定することができる。更にＰｏＣサーバ４０３は，"PoC Session participation"プレゼンス情報要素を"closed"に設定することができる。
【００６４】
ＰｏＣユーザからＩＳＢを活性化する要求を受け付けたとき，ＰｏＣサーバ４０３はプレゼンス情報源として動作し，"Availability for PoC Session Service"プレゼンス情報要素をunavailableに設定することができる。更にＰｏＣサーバ４０３は，プレゼンス情報の<entity>要素を，ＩＳＢを発行したＰｏＣユーザの認証された識別情報値（例えばPUBLISH要求のP-Asserted-Identityヘッダフィールドの値）に設定することができる。
【００６５】
またＰｏＣユーザからのＩＳＢ非活性化要求によっても，ＰｏＣサーバ４０３はプレゼンス情報を発行する。ＰｏＣサーバ４０３は，"Availability for PoC Session Service"プレゼンス情報要素をavailableに設定し，プレゼンス情報の<entity>要素を，ＩＳＢを発行したＰｏＣユーザの認証された識別情報値（例えばPUBLISH要求のP-Asserted-Identityヘッダフィールドの値）に設定することができる。
【００６６】
ＰｏＣユーザからＩＡＢを活性化する要求を受け付けたとき，ＰｏＣサーバ４０３は"Availability for PoC Alert Service"プレゼンス情報要素をunavailableに設定することができる。またＰｏＣサーバは，プレゼンス情報の<entity>要素を，ＩＡＢを発行したＰｏＣユーザの認証された識別情報値（例えばPUBLISH要求のP-Asserted-Identityヘッダフィールドの値）に設定することができる。
【００６７】
ＰｏＣユーザからのＩＡＢ非活性化要求に応答して，ＰｏＣサーバ４０３は"Availability for PoC Alert Service"プレゼンス情報要素をavailableに設定することができる。更にＰｏＣサーバ４０３は，プレゼンス情報の<entity>要素を，ＩＡＢを発行したＰｏＣユーザの認証された識別情報値（例えばPUBLISH要求のP-Asserted-Identityヘッダフィールドの値）に設定することができる。
【００６８】
更にＰｏＣセッションを設定又は終了させたとき，ＰｏＣサーバ４０３はプレゼンス情報源として動作することができる。この場合ＰｏＣサーバ４０３は，"PoC Session participation"プレゼンス情報要素を適切な値に設定することができる。通常ＰｏＣセッション参加情報は，ＰｏＣユーザが最初のＰｏＣセッションに参加したとき，又は最後のＰｏＣセッションを終了したときに発行される。ＰｏＣユーザが最大同時ＰｏＣセッション数に達したことを判定したとき，又はＰｏＣユーザが対応することのできる最大数の同時ＰｏＣセッションにもはや参加していないことを判定したとき，ＰｏＣサーバ４０３はプレゼンス情報源として動作し，プレゼンス情報の発行を行うことができる。ＰｏＣサーバ４０３は，"Availability for PoC Session Service"プレゼンス情報要素を（表１０に規定したとおり）適切な値に設定することができる。
【００６９】
ＰｏＣクライアント４０１は，プレゼンス情報源及び監視者エンティティと同一のユーザ装置に常駐するとき，それらと協働することができる。ＰｏＣサーバ４０３が，ＰｏＣユーザに代わってプレゼンス情報を発行するようになっていないときは，ＰｏＣクライアント４０１と同一のユーザ装置に常駐するプレゼンス情報源が，供給パラメータ"PRES-SRV-CAP"によって指定されたプレゼンス情報要素を発行することができる。
【００７０】
当業者であればプレゼンス情報に対応する処理は，ソフトウェア，ハードウェア（例えば，はん用プロセッサ，デジタル信号処理（ＤＳＰ）チップ，特定用途集積回路（ＡＳＩＣ），フィールドプログラム可能ゲートアレイ（ＦＰＧＡ），等），ファームウェア，又はそれらの組合せで実現できることを理解するであろう。上述の機能を実行する例示ハードウェアを，以降図５を参照して説明する。
【００７１】
図５は，本発明の種々の実施例を実現できる例示ハードウェアを示す図である。計算システム５００は，情報を伝送するバス５０１又はほかの通信機構と，情報を処理するバス５０１に接続したプロセッサ５０３と，を含む。また計算システム５００は，情報と，プロセッサ５０３が実行する命令とを記憶する，バス５０１に接続したランダムアクセスメモリ（ＲＡＭ）又はほかの動的記憶デバイスのような主メモリ５０５も含む。主メモリ５０５は，プロセッサ５０３が命令を実行する際に，一時変数又はほかの中間情報を記憶するためにも用いることができる。更に計算システム５００は，静的情報及びプロセッサ５０３の命令を記憶するための，バス５０１に接続した読み出し専用メモリ（ＲＯＭ）５０７又はほかの静的記憶デバイスも含む。磁気ディスク又は光ディスクのような記憶デバイス５０９が，情報及び命令を永続的に記憶するためにバス５０１に接続される。
【００７２】
計算システム５００はバス５０１を介して，ユーザに情報を表示する液晶ディスプレイ又はアクティブマトリクスディスプレイのようなディスプレイ５１１に接続してもよい。英数キー及びほかのキーを含むキーボードのような入力デバイス５１３を，プロセッサ５０３へ情報を伝送し，コマンドを選択するためにバス５０１に接続してもよい。入力デバイス５１３は，プロセッサ５０３へ情報を伝送し，コマンドを選択するため，及びディスプレイ５１１上のカーソルの動きを制御するために，マウス，トラックボール又はカーソル方向キーのようなカーソル制御を含んでもよい。
【００７３】
本発明の種々の実施例によればここに説明した処理は，主メモリ５０５に含まれる一連の命令を実行するプロセッサ５０３に応答して，計算システム５００が提供することができる。このような命令は，記憶デバイス５０９のような別の計算機可読媒体から主メモリ５０５に読み込ませることができる。主メモリ５０５に含まれる一連の命令を実行することによって，プロセッサ５０３はここに説明した処理ステップを実行することができる。また，主メモリ５０５に含まれる命令を実行するために，多重処理構成の１又は複数のプロセッサを用いてもよい。代替実施例においては，本発明の実施例を実現するソフトウェア命令の代わりに，又はそれと組み合わせて，布線回路を用いてもよい。別の例においては，ＦＰＧＡのような再構成可能ハードウェアを用いてもよく，その論理ゲートの機能及び接続トポロジは，実行時に，通常はメモリ参照テーブルをプログラムすることによって個別化することができる。このように本発明の実施例は，ハードウェア回路とソフトウェアとのどの特定の組合せにも限定されない。
【００７４】
また計算システム５００は，バス５０１に接続した少なくとも１つの通信インタフェース５１５も含む。通信インタフェース５１５は，ネットワークリンク（図示していない）に接続する双方向データ通信を提供する。通信インタフェース５１５は，種々の種別の情報を表すデジタルデータストリームを搬送する電気信号，電磁気信号又は光信号を送受信する。更に通信インタフェース５１５は，はん用直列バス（ＵＳＢ）インタフェース，ＰＣＭＣＩＡ（パーソナル計算機メモリカード国際協会）インタフェース，等のような周辺インタフェースデバイスを含んでもよい。
【００７５】
プロセッサ５０３は，送信されたコードを受信中に実行してもよいし，及び／又は後で実行するために記憶デバイス５０９又はほかの不揮発性記憶にそのコードを記憶してもよい。この方法で計算システム５００は，搬送波の形態でアプリケーションコードを取得してもよい。
【００７６】
ここで用いた「計算機可読媒体」という用語は，プロセッサ５０３が実行するための命令を供給する任意の媒体を指すものとする。このような媒体は，不揮発性媒体と，揮発性媒体と，伝送媒体と，を含むがこれに限定されない多くの形態をとることができる。不揮発性媒体は，例えば記憶デバイス５０９のような光ディスク又は磁気ディスクを含む。揮発性媒体は，主メモリ５０５のようなダイナミックメモリを含む。伝送媒体は，バス５０１を構成する布線を含む，同軸ケーブルと，銅線と，光ファイバと，を含む。また伝送媒体は，無線周波（ＲＦ）データ通信及び赤外線（ＩＲ）データ通信の際に発生されるような，音波，光波又は電磁波の形態をとることもできる。計算機可読媒体の通常の形態は，例えばフロッピ（登録商標）ディスク，フレキシブルディスク，ハードディスク，磁気テープ，任意のほかの磁気媒体，ＣＤ−ＲＯＭ，ＣＤ−ＲＷ，ＤＶＤ，任意のほかの光媒体，パンチカード，紙テープ，光学マークシート，穴のパターン又はほかの光学的に
認識可能なしるしを有する任意のほかの物理媒体，ＲＡＭ，ＰＲＯＭ，ＥＰＲＯＭ，フラッシュＥＰＲＯＭ，任意のほかのメモリチップ又はカートリッジ，搬送波，又は計算機が読むことのできる任意のほかの媒体，を含む。
【００７７】
種々の形態の計算機可読媒体を，プロセッサが実行するための命令を供給する際に用いることができる。例えば本発明の少なくとも一部を実行する命令を，初めは遠隔計算機の磁気ディスク上に置いてもよい。このようなシナリオにおいては，遠隔計算機がその命令を主メモリに読み込み，モデムを用い電話回線を介して命令を送信する。局所システムのモデムが電話回線上のデータを受信し，赤外線送信器を用いてそのデータを赤外線信号に変換し，その赤外線信号をパーソナルデジタルアシスタント（ＰＤＡ）又はラップトップのような可搬型計算デバイスに送信する。可搬型計算デバイス上の赤外線検出器が，赤外線信号によって搬送された情報及び命令を受信し，データをバス上に置く。バスはそのデータを主メモリに搬送し，そこからプロセッサが命令を取得して実行する。主メモリが受信した命令は，プロセッサが実行する前，又は実行した後のいずれかに任意選択で記憶デバイスに記憶してもよい。
【００７８】
図６Ａ及び６Ｂは，本発明の種々の実施例に対応することができる種々のセルラ携帯電話システムの図である。図６Ａ及び６Ｂは，（無線基地局及び移動機内のデジタル信号プロセッサ（ＤＳＰ），ハードウェア，ソフトウェア，集積回路，及び／又は半導体デバイスの一部として）送受信器を備えた移動機（例えば携帯電話機）及び無線基地局双方をそれぞれ含むセルラ携帯電話システムの例を示している。例として無線ネットワークは，国際電気通信連合（ＩＴＵ）が国際移動体通信２０００（ＩＭＴ−２０００）のために規定した第２世代及び第３世代（２Ｇ及び３Ｇ）サービスに対応する。説明のために，無線ネットワークの搬送波及びチャネル選択機能は，ＣＤＭＡ２０００に関して説明している。ＣＤＭＡ２０００は，第３世代パートナシッププロジェクト２（３ＧＰＰ２）において，ＩＳ−９５の第３世代版として標準化されつつある。
【００７９】
無線ネットワーク６００は，無線基地局サブシステム（ＢＳＳ）６０３と通信する移動機６０１（例えば携帯電話機，端末，局装置，ユニット，デバイス，又は（「装着可能（ｗｅａｒａｂｌｅ）」回路等のような）ユーザへの任意の種類のインタフェース）を含む。本発明の一実施例によれば，無線ネットワークは国際電気通信連合（ＩＴＵ）が国際移動体通信２０００（ＩＭＴ−２０００）のために規定した第３世代（３Ｇ）サービスに対応する。
【００８０】
この例において，ＢＳＳ６０３は無線基地局装置（ＢＴＳ）６０５及び無線基地局制御装置（ＢＳＣ）６０７を含む。単一のＢＴＳが示されているが，通常は複数のＢＴＳが，例えばポイント‐ツ‐ポイントリンクによってＢＳＣに接続されることを認識されたい。各ＢＳＳ６０３は，送信制御エンティティ，すなわちパケット制御機能（ＰＣＦ）６１１によってパケットデータサービスノード（ＰＤＳＮ）６０９にリンクしている。ＰＤＳＮ６０９は，例えばインターネット６１３又はほかの私的消費者ネットワーク６１５などの外部ネットワークへのゲートウェイとして機能するので，ＰＤＳＮ６０９は，ユーザの識別情報及び特権を確実に判定し，各ユーザの行動を追跡するために，認証，承認及び課金システム（ＡＡＡ）６１７を含んでもよい。ネットワーク６１５は，帰属ＡＡＡ６３７が保護する帰属エージェント（ＨＡ）６３５を介して接続される，１又は複数のデータベース６３３にリンクしたネットワーク管理システム（ＮＭＳ）６３１を備える。
【００８１】
単一のＢＳＳ６０３が示されているが，通常は複数のＢＳＳ６０３が移動体通信交換センタ（ＭＳＣ）６１９に接続していることを認識されたい。ＭＳＣ６１９は，公衆交換電話ネットワーク（ＰＳＴＮ）６２１のような回線交換電話ネットワークへの接続を行う。類似して，ＭＳＣ６１９は同一ネットワーク６００上のほかのＭＳＣ６１９，及び／又はほかの無線ネットワークに接続してもよいことを認識されたい。ＭＳＣ６１９は通常，そのＭＳＣ６１９の活性な加入者についての一時情報を保有する在圏位置レジスタ（ＶＬＲ）６２３データベースと併設されている。ＶＬＲ６２３データベース内のデータは，大部分が帰属位置レジスタ（ＨＬＲ）６２５データベースの複製であり，詳細な加入者のサービス加入情報を格納している。いくつかの実施例においてはＨＬＲ６２５とＶＬＲ６２３とは同一の物理的データベースであるが，ＨＬＲ６２５は例えばＮｏ．７信号方式（ＳＳ７）ネットワークによって接続できる遠隔地にあってもよい。認証センタ（ＡｕＣ）６２７は，秘密認証かぎのような加入者特定認証データを含み，ユーザを認証するためにＨＬＲ６２５と連携している。更にＭＳＣ６１９は，ショートメッセージを記憶し，無線ネットワーク６００との間で転送するショートメッセージサービスセンタ（ＳＭＳＣ）６２９に接続している。
【００８２】
セルラ電話システムの通常の運用に際しては，ＢＴＳ６０５は音声呼又はほかの通信を行う複数組の移動体ユニット６０１から複数組の上りリンク信号を受信して復調する。特定のＢＴＳ６０５が受信した各上りリンク信号は，その移動機内で処理される。得られたデータはＢＳＣ６０７へ転送される。ＢＳＣ６０７は，ＢＴＳ６０５間のソフトハンドオフ調整を含む呼資源割当て機能及び移動性管理機能を行う。ＢＳＣ６０７はまた，受信データをＭＳＣ６１９へ送り，ＭＳＣは次にＰＳＴＮ６２１とのインタフェースへ追加の経路制御及び／又は交換を行う。ＭＳＣ６１９はまた，呼設定，呼終了，ＭＳＣ間ハンドオーバサービス及び補足サービスの管理，並びに料金収納，課金及び会計を行う。類似して無線ネットワーク６００は下りリンクメッセージを送信する。ＰＳＴＮ６２１は，ＭＳＣ６１９と接続する。ＭＳＣ６１９はＢＳＣ６０７とも接続し，次にＢＴＳ６０５と通信し，ＢＴＳは下りリンク信号の複数の組を変調して，複数の組の移動体ユニット６０１へ送信する。
【００８３】
図６Ｂに示すように，はん用パケット無線サービス（ＧＰＲＳ）基盤設備６５０の２つのキー要素は，サービス提供ＧＰＲＳサポートノード（ＳＧＳＮ）６３２及びゲートウェイＧＰＲＳサポートノード（ＧＧＳＮ）６３４である。更にＧＰＲＳ基盤設備は，パケット制御ユニット（ＰＣＵ）６３６と，請求システム６３９にリンクした課金ゲートウェイ機能（ＣＧＦ）６３８とを含む。ＧＰＲＳの移動機（ＭＳ）６４１は，加入者識別情報モジュール（ＳＩＭ）６４３を利用する。
【００８４】
ＰＣＵ６３６は，無線インタフェース接続制御，無線インタフェース上のパケットスケジューリング，並びにパケット組立て及び再組立てのようなＧＰＲＳに関連する機能を行う論理ネットワーク要素である。一般にＰＣＵ６３６はＢＳＣ６４５と物理的に統合されている。しかし，ＢＴＳ６４７又はＳＧＳＮ６３２と併設することもできる。ＳＧＳＮ６３２は，移動性管理機能，セキュリティ機能，接続制御機能を含むＭＳＣ６４９と均等な機能を，パケット交換領域で提供する。更にＳＧＳＮ６３２は，例えばＢＳＳ ＧＰＲＳプロトコル（ＢＳＳＧＰ）を用いたフレームリレーによるインタフェースによって，ＰＣＵ６３６と接続する。１つのＳＧＳＮだけが示されているが，複数のＳＧＳＮ６３１を用いて，サービスエリアを対応する経路制御エリア（Ｒｏｕｔｉｎｇ Ａｒｅａ：ＲＡ）に分割できることを認識されたい。ＳＧＳＮ-ＳＧＳＮインタフェースは，実行中のパケットデータプロトコル（ＰＤＰ）コンテキストにおいてＲＡ更新が発生したとき，旧ＳＧＳＮから新ＳＧＳＮへのパケットトンネリングを可能にする。特定のＳＧＳＮは複数のＢＳＣ６４５にサービスを提供できるが，どの特定のＢＳＣ６４５も一般に１つのＳＧＳＮ６３２と接続する。またＳＧＳＮ６３２は，ＧＰＲＳ強化移動体アプリケーション部（ＭＡＰ）を用いたＳＳ７によるインタフェースによってＨＬＲ６５１と，又は信号接続制御部（ＳＣＣＰ）を用いたＳＳ７によるインタフェースによってＭＳＣ６４９と，任意選択で接続される。ＳＧＳＮ−ＨＬＲインタフェースは，ＳＧＳＮ６３２がＨＬＲ６５１に位置更新を提供し，ＳＧＳＮサービスエリア内のＧＰＲＳ関連加入者情報を取得できるようにする。ＳＧＳＮ−ＭＳＣインタフェースは，音声呼のための加入者呼出しのような回線交換サービスとパケットデータサービスとの協調を可能にする。最後に，ＳＧＳＮ６３２はＳＭＳＣ６５３と接続して，ネットワーク６５０を介したショートメッセージ機能を可能にする。
【００８５】
ＧＧＳＮ６３４は，インターネット６１３又はほかの私的顧客ネットワーク６５５のような外部パケットデータネットワークへのゲートウェイである。ネットワーク６５５はＰＤＳＮ６６１によって接続される１又は複数のデータベース６５９にリンクしたネットワーク管理システム（ＮＭＳ）６５７を備える。ＧＧＳＮ６３４は，インターネットプロトコル（ＩＰ）アドレスを指定し，また遠隔認証ダイヤルインユーザサービス（ＲＡＤＩＵＳ）のホストとして動作し，ユーザを認証することができる。またＧＧＳＮ６３４に置かれたファイヤウォールも，未承認のトラヒックを制限するファイヤウォール機能を実行する。１つのＧＧＳＮ６３４だけが示されているが，特定のＳＧＳＮ６３２は１又は複数のＧＧＳＮ６３４と接続することができ，ユーザデータが２つのエンティティの間及びネットワーク６５０との間をトンネルできるようにする。外部データネットワークがＧＰＲＳネットワーク６５０上でセッションを開始したとき，ＧＧＳＮ６３４は，移動機（ＭＳ）６４１に現在サービスを提供しているＳＧＳＮ６３２をＨＬＲ６５１に問い合わせる。
【００８６】
ＢＴＳ６４７及びＢＳＣ６４５は，どのＭＳ６４１がいつ無線チャネルに接続するかを制御することを含め，無線インタフェースを管理する。これらの要素は本質的に，ＭＳ６４１とＳＧＳＮ６３２との間のメッセージを中継する。ＳＧＳＮ６３２はＭＳ６４１との通信を管理し，データを送受信し，その位置を追跡する。またＳＧＳＮ６３２はＭＳ６４１を登録し，ＭＳ６４１を認証し，そしてＭＳ６４１に送信するデータを暗号化する。
【００８７】
図７は，本発明の実施例による図６Ａ及び６Ｂのシステムにおいて動作できる移動機（例えば携帯電話機）の例示コンポーネントの図である。一般に無線受信器は，フロントエンド特徴及びバックエンド特徴の意味で規定されることが多い。受信器のフロントエンドは，すべての無線周波（ＲＦ）回路を含み，一方バックエンドはすべてのベースバンド処理回路を含む。電話に関係する内部コンポーネントは，主制御ユニット（ＭＣＵ）７０３と，デジタル信号プロセッサ（ＤＳＰ）７０５と，マイクロホン利得制御ユニット及びスピーカ利得制御ユニットを含む受信器及び送信器ユニットと，を含む。主ディスプレイユニット７０７は，種々のアプリケーション及び移動機機能を支援する表示をユーザに提供する。音声機能回路７０９は，マイクロホン７１１と，マイクロホン７１１からの音声信号出力を増幅するマイクロホン増幅器と，を含む。マイクロホン７１１からの増幅された音声信号出力は，コーダ及びデコーダ（コーデック）７１３に加えられる。
【００８８】
無線セクション７１５は，移動体通信システム（例えば図６Ａ又は６Ｂのシステム）に含まれる無線基地局とアンテナ７１７を介して通信するために，電力を増幅し，周波数を変換する。電力増幅器（ＰＡ）７１９並びに送信器及び変調回路は，機能的にＭＣＵ７０３に反応し，ＰＡ７１９からの出力は当業においては既知の分波器７２１又はサーキュレータ，又はアンテナスイッチに接続される。
【００８９】
現用時に，移動機７０１のユーザはマイクロホン７１１に向かって話をし，その声と任意の検出された背景ノイズとがアナログ電圧に変換される。次にアナログ電圧はアナログデジタル変換器（ＡＤＣ）７２３によってデジタル信号に変換される。制御ユニット７０３は，音声符号化，チャネル符号化，暗号化，及びインタリーブのような処理のためにデジタル信号をＤＳＰ７０５に送る。例示実施例において処理した音声信号は，２重モード広帯域スペクトラム拡散セルラシステムのための通信産業協会のＴＩＡ/ＥＩＡ/ＩＳ−９５−Ａ  移動機−無線基地局両立性標準（ここにその全体を参照する）に詳細に記載されているとおりの，個別には示されていないユニットによって符号化される。
【００９０】
符号化した信号は次に等化器７２５に送られ，無線送信中に生じる位相歪み及び振幅歪みのような任意の周波数依存劣化が補償される。ビットストリームを等化した後，変調器７２７が信号とＲＦインタフェース７２９で発生させたＲＦ信号とを混合する。変調器７２７は周波数変調又は位相変調された正弦波を発生する。送信する信号を用意するために，アップコンバータ７３１が変調器７２７からの正弦波出力と，シンセサイザ７３３で発生させた別の正弦波とを混合して，所望の送信周波数を得る。次に信号はＰＡ７１９に送られて，適当な電力レベルまで信号を増大させる。実際のシステムにおいては，ＰＡ７１９は可変利得増幅器として動作し，その利得はネットワーク無線基地局から受信した情報によって，ＤＳＰ７０５が制御する。次に信号は分波器７２１内でろ波され，任意選択でアンテナ結合器７３５に送られて，最大電力転送が行われるようにインピーダンス整合が行われる。最後に信号はアンテナ７１７を介して局所無線基地局へ送信される。受信器の最終段の利得を制御するために，自動利得制御（ＡＧＣ）を行ってもよい。信号はそこから，別の携帯電話機かもしれない遠隔電話機，公衆交換電話ネットワーク（ＰＳＴＮ）に接続したほかの携帯電話機又は地上回線，又はほかの電話ネットワークに転送してもよい。
【００９１】
移動機７０１に送信された音声信号は，アンテナ７１７を介して受信され，低ノイズ増幅器（ＬＮＡ）７３７によって直ちに増幅される。ダウンコンバータ７３９が搬送波を低域に変換し，復調器７４１がＲＦを除去してデジタルビットストリームだけを残す。次に信号は等化器７２５へ進み，ＤＳＰ７０５によって処理される。デジタルアナログ変換器（ＤＡＣ）７４３が信号を変換し，得られた出力がスピーカ７４５によってユーザに送信される。すべての操作は主制御ユニット（ＭＣＵ）７０３の制御下で行われ，ＭＣＵは中央処理ユニット（ＣＰＵ）（図示していない）として実現することができる。
【００９２】
ＭＣＵ７０３はキーボード７４７からの入力信号を含む種々の信号を受信する。ＭＣＵ７０３は，ディスプレイ７０７に表示コマンド及び切替えコマンドを，切替えコントローラに音声出力を，それぞれ配信する。更にＭＣＵ７０３は，ＤＳＰ７０５と情報を交換し，任意選択で組み込まれるＳＩＭカード７４９及びメモリ７５１を利用することができる。更にＭＣＵ７０３は，移動機に必要な種々の制御機能を実行する。実装に応じてＤＳＰ７０５は，音声信号について種々の通常のデジタル処理のうちどれでも実行することができる。更にＤＳＰ７０５は，マイクロホン７１１が検出した信号から局所環境の背景ノイズレベルを判定して，マイクロホン７１１の利得を設定し，移動機７０１のユーザの生来の傾向を補償するようにレベル選択する。
【００９３】
コーデック７１３はＡＤＣ７２３及びＤＡＣ７４３を含む。メモリ７５１は着信音データを含む種々のデータを記憶し，例えば，大域インターネットを介して受信した音楽データを含むほかのデータを記憶することができる。ソフトウェアモジュールは，ＲＡＭ，フラッシュメモリ，レジスタ，又は当業において既知の任意の書き込み可能記憶媒体に置くことができる。メモリデバイス７５１は，単一メモリ，ＣＤ，ＤＶＤ，ＲＯＭ，ＲＡＭ，ＥＥＰＲＯＭ，光記憶媒体，又はデジタルデータを記憶できる任意のほかの不揮発性記憶媒体であってよいが，それに限定されるものではない。
【００９４】
任意選択で組み込まれるＳＩＭカード７４９は，例えば携帯電話番号と，通信事業者提供サービスと，加入者情報の詳細と，セキュリティ情報のような重要な情報を含む。ＳＩＭカード７４９は，本来無線ネットワーク上の移動機７０１を識別するためのものである。ＳＩＭカード７４９はまた，個人電話番号帳，テキストメッセージ，ユーザ特定移動機設定を記憶するメモリを含む。
【００９５】
図８は例示企業内ネットワークであって，パケットを主体とする技術，及び／又はセルを主体とする技術（例えば非同期転送モード（ＡＴＭ），Ｅｔｈｅｒｎｅｔ（登録商標），ＩＰ技術）を用いた任意の種類のデータ通信ネットワークであってよい。企業内ネットワーク８０１は，有線ノード８０３，及び無線ノード８０５〜８０９（固定又は移動）との接続を行い，それらはそれぞれ上述の処理を行うように構成されている。企業内ネットワーク８０１は，ＷＬＡＮ８１１（例えばＩＥＥＥ８０２．１１），ＣＤＭＡ２０００セルラネットワーク８１３，電話ネットワーク８１５（例えばＰＳＴＮ），又は公衆データネットワーク８１７（例えばインターネット）のような種々のほかのネットワークと通信することができる。
【００９６】
本発明をいくつかの実施例及び実装例に関連して説明したが，本発明はそれらに限定されず，種々の明白な修正物及び均等構成物を含む。それらは本願請求項の範囲内にある。本発明の特徴を各請求項のある組合せで表現したが，これらの特徴は任意の組合せ及び順序で構成できることを熟慮されたい。
【図面の簡単な説明】
【００９７】
【図１】本発明の実施例による拡張プレゼンス情報属性に対応する無線通信システムの図である。
【図２】図１のシステムにおける端末の登録手続を示す図である。
【図３Ａ】本発明の実施例による拡張プレゼンス情報を提供する処理のフロー図である。
【図３Ｂ】本発明の実施例による拡張プレゼンス情報を提供する処理のフロー図である。
【図４】本発明の一実施例による，プレゼンスサービスに対応できる例示ＰｏＣアーキテクチャの図である。
【図５】本発明の種々の実施例を実現するために使用できるハードウェアを示す図である。
【図６Ａ】本発明の種々の実施例に対応することができる種々のセルラ携帯電話システムの図である。
【図６Ｂ】本発明の種々の実施例に対応することができる種々のセルラ携帯電話システムの図である。
【図７】本発明の実施例による図６Ａ及び６Ｂのシステムにおいて動作できる移動機の例示コンポーネントの図である。
【図８】本発明の実施例による，ここに説明した処理に対応できる企業ネットワークの図である。
【図１】
2009500978.tif 000016
【図２】
2009500978.tif 000017
【図３Ａ】
2009500978.tif 000018
【図３Ｂ】
2009500978.tif 000019
【図４】
2009500978.tif 000020
【図５】
2009500978.tif 000021
【図６Ａ】
2009500978.tif 000022
【図６Ｂ】
2009500978.tif 000023
【図７】
2009500978.tif 000024
【図８】
2009500978.tif 000025
【国際調査報告】
2009500978.tif 000026
2009500978.tif 000027
2009500978.tif 000028
2009500978.tif 000029
2009500978.tif 000030